(57)【特許請求の範囲】
【請求項１】
各チャンネルキーに対応した複数の音場特性データを記憶する音場特性データ記憶手段と、
現在設定中の音場特性データに基づいて音響信号を音場補正する音場補正手段と、
スキャンキー入力直前の音場特性データを記憶する入力直前データ記憶手段と、
スキャンキーの入力に応じて、前記入力直前データ記憶手段に記憶中の音場特性データを間に挟みながら前記音場特性データ記憶手段に記憶中の各音場特性を順次読み出し、
この読み出された音場特性データに基づいて、前記音場補正手段に音響信号を音場補正させる制御手段とを有することを特徴とする音場特性制御装置。
【請求項２】
前記音場特性データ記憶手段に記憶中の音場特性データ内に、前記入力直前データ記憶手段に記憶中の音場特性データと同一の音場特性データがあるか否かを判定する判定手段を有し、
前記制御手段は、前記スキャンキーの入力に応じて、前記判定手段にて同一の音場特性データであると判定されると、この同一の音場特性データに係わる前記音場特性データ記憶手段からの読み出しを禁止し、この同一の音場特性データ以外の音場特性データを読み出すことを特徴とする請求項１記載の音場特性制御装置。
【発明の詳細な説明】
【０００１】
【発明の属する技術分野】
本発明は、音響装置による音響信号の音場特性を補正変更するデジタルシグナルプロセッサ（以下、単にＤＳＰと称する）やイコライザ等の音場特性制御装置に関する。
【０００２】
【従来の技術】
従来、このような音場特性制御装置としてはＤＳＰやイコライザ装置等があげられる。
【０００３】
では、ここでイコライザ装置を例にあげて説明する。
【０００４】
このようなイコライザ装置としては、複数の周波数特性（以下、単にｆ特と称する）カーブに対応するｆ特データをメモリできる機能を有し、このメモリ中のｆ特データをプリセットチャンネルキー（以下、単にチャンネルキーと称する）に対応づけ、チャンネルキーの入力操作に応じて、このキーに対応したｆ特データを呼び出し、このｆ特データに基づいて音響信号のｆ特を補正するようにしていた。また、このｆ特データに基づいてｆ特カーブをディスプレイ上に表示させるようにもしていた。
【０００５】
しかしながら、このようなイコライザ装置によれば、ｆ特データを記憶するメモリのチャンネル数が増えると、どのチャンネルキーにどの様なｆ特カーブをメモリしたか否かを覚えておくことが難しくなるために、複数のｆ特カーブの中から所望のｆ特カーブが見つかるまで、チャンネルキーを操作して対応するｆ特カーブを呼出しては確認するという操作を繰り返さなければならず、このように所望のｆ特カーブを検索するまでの操作が大変煩わしいといった事態が生じた。
【０００６】
そこで、このような事態に対処すべく、メモリの中から所望のｆ特カーブを検索するまでの操作が良好なプリセットスキャン方式が提案されている。
【０００７】
このプリセットスキャン方式とは、所望のｆ特カーブを検索する場合に、メモリ中のｆ特データを順次呼び出し、この呼び出されたｆ特データに基づいて音響信号のｆ特を順次変更させる方式である。
【０００８】
つまり、このプリセットスキャン方式によれば、イコライザ装置に設けたプリセットスキャンキー（以下、単にスキャンキーと称する）の入力操作に応じて、各チャンネルキーに対応した記憶中のｆ特カーブを自動的に所定時間間隔（例えば１０秒間隔）で順次読み出し、所望のｆ特カーブが得られている間にスキャンキーを再度操作することにより、この所望のｆ特カーブに設定を保持する。
【０００９】
従って、このようなプリセットスキャン方式によれば、所望のｆ特カーブが得られるまで、その都度、プリセットチャンネルキーの操作を繰り返さなくても、スキャンキーの開始及び終了操作のみで所望のｆ特カーブを検索して設定変更することができる。
【００１０】
【発明が解決しようとする課題】
上記従来のプリセットスキャン方式を採用した音場特性制御装置としてのイコライザ装置によれば、図１２に示すようにプリセットスキャン開始直前に設定されていたｆ特カーブに係わるｆ特データのチャンネルキーに対応するチャンネル番号が“３”であれば、チャンネル番号“４”、チャンネル番号“５”、チャンネル番号“６”、チャンネル番号“１”、チャンネル番号“２”、チャンネル番号“３”といった順で順次に各チャンネルのｆ特データに基づいて所定時間間隔で音響信号のｆ特変更を行うようにした。
【００１１】
しかしながら、このようなプリセットスキャン方式によれば、隣接したチャンネルにおけるｆ特カーブの相対的な比較しかできない、つまり、読み出されているチャンネル番号が“６”であれば、このチャンネル番号６と、隣接したチャンネル番号“５”及びチャンネル番号“１”との隣接比較しかできないため、プリセットスキャン開始直前に設定されていた元のｆ特カーブに対して各チャンネルのｆ特カーブがどの程度変化したのか、又は、比較基準となるｆ特カーブが変化してしまうことから個々のｆ特カーブが元のｆ特に対してどの様な特性を有しているのかを聴感的に認識することは非常に困難であるといった問題点があった。
【００１２】
本発明は上記問題点に鑑みてなされたものであり、その目的とするところは、プリセットメモリ中の各チャンネルの各音場特性を確実に認識しながら、所望の音場特性を容易に探し得る音場特性制御装置を提供することにある。
【００１３】
【課題を解決するための手段】
上記目的を達成するために本発明における請求項１記載の音場特性制御装置は、各チャンネルキーに対応した複数の音場特性データを記憶する音場特性データ記憶手段と、現在設定中の音場特性データに基づいて音響信号を音場補正する音場補正手段と、スキャンキー入力直前の音場特性データを記憶する入力直前データ記憶手段と、スキャンキーの入力に応じて、前記入力直前データ記憶手段に記憶中の音場特性データを間に挟みながら前記音場特性データ記憶手段に記憶中の各音場特性を順次読み出し、この読み出された音場特性データに基づいて、前記音場補正手段に音響信号を音場補正させる制御手段とを有することを特徴とする。
【００１４】
前記音場特性制御装置とは、例えばイコライザ装置やＤＳＰ等に相当するものである。
【００１５】
前記チャンネルキーは、ワンタッチ操作で各キーに対応した音場特性データに設定することが可能である。
【００１６】
前記音場特性データとは、例えばイコライザ装置であればｆ特カーブのｆ特データに相当するものであり、ＤＳＰであればＨＡＬＬ，ＤＩＳＣＯ等といったシュミレーションする音場空間を変える音響特性データ（ｆ特、遅延時間特性等）に相当するものである。
【００１７】
前記スキャンキーとは、前記音場特性データ記憶手段に記憶中の音場特性データを順次読み出すための起動キーに相当するものである。
【００１８】
前記音場特性データ記憶手段は、例えばプリセットメモリに相当するものであり、前記入力直前データ記憶手段は、例えばラストポジションメモリに相当するもである。
【００１９】
従って、本発明における請求項１記載の音場特性制御装置によれば、スキャンキーの入力に応じて、音場特性データ記憶手段に記憶中の各音場特性データと入力直前データ記憶手段に記憶中の音場特性データとを交互に読み出し、この読み出された音場特性データに基づいて、前記音場補正手段に音響信号を音場補正させるようにしたので、音場特性データ記憶手段に記憶中の各チャンネルキーに対応する各音場特性と、スキャンキー入力直前の音場特性とを比較受聴できるため、これら各音場特性を確実に認識しながら、簡単な操作で所望の音場特性を容易に得ることができる。
【００２０】
また、本発明における請求項２記載の音場特性制御装置は、上記請求項１記載の構成に加えて、前記音場特性データ記憶手段に記憶中の音場特性データ内に、前記入力直前データ記憶手段に記憶中の音場特性データと同一の音場特性データがあるか否かを判定する判定手段を有し、前記制御手段は、前記スキャンキーの入力に応じて、前記判定手段にて同一の音場特性データがあると判定されると、この同一の音場特性データに係わる前記音場特性データ記憶手段からの読み出しを禁止し、この同一の音場特性データ以外の音場特性データを読み出すことを特徴とする。
【００２１】
従って、本発明における請求項２記載の音場特性制御装置によれば、上記請求項１記載の効果に加えて、音場特性データ記憶手段に記憶中の音場特性データ内に、入力直前データ記憶手段に記憶中の音場特性データと同一の音場特性データがあれば、この同一の音場特性データに係わる音場特性データを音場特性データ記憶手段から読み出すことを禁止し、この同一の音場特性データ以外の音場特性データを読み出すようにしたので、スキャンキー入力直前の音場特性に基づく音響信号の音場特性が連続して設定されるような事態を防止することにより、ユーザーに不快感を与えるようなことはない。
【００２２】
【発明の実施の形態】
以下、図面に基づいて本発明の実施の形態を示す音場特性制御装置について説明する。図１は本発明における実施の形態を示す音場特性制御装置内部の概略構成を示すブロック図である。図２は本実施の形態における音場特性制御装置のマイコン内部の概略構成を示すブロック図である。
【００２３】
図１に示す音場特性制御装置１０としては、例えば記録媒体から音響信号を得る音響機器１１から得られる音響信号に音場補正を施す音場制御回路１２と、音場特性変更時にビープ音を発生するビープ音発生回路１３と、様々な情報、例えば音場特性等を表示するディスプレイ１４と、このディスプレイ１４を表示制御する表示駆動回路１５と、様々な指令を入力する操作パネル１６と、これら音場特性制御装置１０全体を制御するマイコン１７とを有している。
【００２４】
前記操作パネル１６には、複数のチャンネルキー１６ａと、スキャンキー１６ｂとが配置してある。
【００２５】
前記チャンネルキー１６ａは、それぞれ後述するプリセットメモリに記憶中の各音場特性データと対応しており、このチャンネルキー１６ａの操作で、夫々のキーに対応した音場特性データを呼び出すことができる。尚、ここではチャンネルキー１６ａの数は６個としておく。
【００２６】
また、前記スキャンキー１６ｂは、一回の操作で各チャンネルキー１６ａに対応した複数の音場特性データを順次呼び出すことができる。
【００２７】
また、前記マイコン１７は、図２に示すように前記チャンネルキー１６ａに対応したチャンネル番号及びチャンネル番号に対応した各音場特性データを記憶するプリセットメモリ２１と、前記音場制御回路１２に現在設定中の音場特性データ及びチャンネル番号等を記憶するラストポジションメモリ（以下、単にＬＰメモリと称する）２２と、後述するスキャン表示中の音場特性データ及びチャンネル番号等を記憶するプリセットスキャンメモリ（以下、単にＰＳメモリと称する）２３と、前記ディスプレイ１４に表示する音場特性の表示時間等をカウントするタイマー２４と、このマイコン１７全体を制御するＣＰＵ２５とを有している。
【００２８】
また、前記音場制御回路１２は、前記マイコン１７からの音場特性データに基づいて、音響機器１１から得られる音響信号の周波数特性及び遅延時間特性等を可変して、その音場特性を変更するものである。
【００２９】
次に本実施の形態における音場特性制御装置における動作について説明する。まずは、この音場特性制御装置をイコライザ装置に適用した場合の動作について説明する。
【００３０】
このイコライザ装置においては、前記音場制御回路１２がイコライザ回路（以下、単にＥＱ回路と称する）となり、前記マイコン１７内部のプリセットメモリ２１には、図３に示すように各チャンネルキー１６ａに対応したチャンネル番号と、このチャンネル番号に対応したｆ特データとが記憶されており、前記ＰＳメモリ２３にはスキャン表示中のｆ特データ及びチャンネル番号ｎ、前記ＬＰメモリ２２には現在設定中のｆ特データ及びチャンネル番号Ｎが記憶してある。
【００３１】
では、イコライザ装置のチャンネルキー１６ａによるチャンネル音場特性設定処理について説明する。図４はチャンネル音場特性設定処理におけるマイコン１７の処理動作を示すフローチャートである。
【００３２】
このチャンネル音場特性設定処理とは、チャンネルキー１６ａの操作で、操作したチャンネルキー１６ａに対応するｆ特データを読み出し、このｆ特データに基づいて、前記音響機器１１から得られる音響信号を前記ＥＱ回路１２において音場補正し、出力させる処理である。
【００３３】
図４においてマイコン１７は、チャンネルキー１６ａのいずれかがＯＮされたか否かを判定する（ステップＳ１１）。
【００３４】
チャンネルキー１６ａのいずれかがＯＮされたのであれば、ＯＮされたチャンネルキー１６ａのチャンネル番号に対応したｆ特データを前記プリセットメモリ２１から読み出し、このｆ特データを前記ＥＱ回路１２に設定し、このチャンネル番号及びｆ特データをＬＰメモリ２２に記憶する（ステップＳ１２）。
【００３５】
このＬＰメモリ２２に記憶中のチャンネル番号Ｎ及びｆ特データに係わるｆ特カーブをディスプレイ１４上に表示する（ステップＳ１３）。
【００３６】
前記ディスプレイ１４上に表示中のｆ特カーブにゲインの調整操作が行われたか否かを判定する（ステップＳ１４）。この表示中のｆ特カーブにゲイン調整操作が行われたのであれば、このゲイン調整操作された後のｆ特カーブのｆ特データに基づいてＥＱ回路の設定を変更すると共に、前記ＬＰメモリ２２に記憶中のチャンネル番号を“０”とし、記憶中のｆ特データのデータ内容を変更記憶する（ステップＳ１５）。尚、ステップＳ１５にてゲイン調整操作が行われると、ＬＰメモリ２２内のチャンネル番号を“０”とするようにしたのは、プリセットメモリ２１に記憶中のチャンネルキー１６ａに対応するデータ内容とは相違しているためである。
【００３７】
このＬＰメモリ２２に記憶中のｆ特データに係わるｆ特カーブをディスプレイ１４上に表示させると共に、表示中のチャンネル番号を消灯し（ステップＳ１６）、このチャンネル音場特性設定処理の処理動作を終了する。
【００３８】
次にイコライザ装置のスキャンキー１６ｂによるスキャン音場特性設定処理について説明する。図５はスキャン音場特性設定処理におけるマイコン１７の処理動作を示すフローチャートである。
【００３９】
このスキャン音場特性設定処理とは、スキャンキー１６ｂのワンタッチ操作で、スキャンキー１６ｂ入力直前のｆ特データを常に比較基準特性としながら、前記プリセットメモリ２１に記憶中のｆ特データに基づいて、前記音響機器１１から得られる音響信号のｆ特を順次変更する処理である。
【００４０】
図５においてマイコン１７は、スキャンキー１６ｂがＯＮされたか否かを判定する（ステップＳ２１）。スキャンキー１６ｂがＯＮされたのであれば、ＬＰメモリ２２に記憶中のチャンネル番号Ｎを＋１インクリメントし、このインクリメントされたチャンネル番号Ｎをチャンネル番号ｎとし、このチャンネル番号ｎを前記ＰＳメモリ２３に記憶する（ステップＳ２２）。尚、このＰＳメモリ２３に記憶中のチャンネル番号ｎが“７”となった場合にはそのチャンネル番号ｎを“１”とする。
【００４１】
ＬＰメモリ２２に記憶中のチャンネル番号ＮとＰＳメモリ２３に記憶中のチャンネル番号ｎとが異なっているか否かを判定する（ステップＳ２３）。
【００４２】
これらチャンネル番号ｎ，Ｎが異なっているのであれば、タイマー２４をスタートして１秒間の音声ミュートを実行すると共に、前記ビープ音発生回路１３にてビープ音を音声出力する。そして、この音声ミュート中にＰＳメモリ２３に記憶中のチャンネル番号ｎに対応したｆ特データを前記プリセットメモリ２１から読み出し、この読み出されたｆ特データをＰＳメモリ２３に記憶する。そして、このＰＳメモリ２３に記憶中のｆ特データをＥＱ回路１２に設定すると共に、このＰＳメモリ２３に記憶中のチャンネル番号ｎ及び記憶中のｆ特カーブを前記ディスプレイ１４上に表示して、音声ミュート解除後に音声出力する（ステップＳ２４）。
【００４３】
ステップＳ２４にてスタートしたタイマー２４が１０秒をカウントしたか否かを判定する（ステップＳ２５）。タイマー２４が１０秒をカウントしたのであれば、再びタイマー２４をスタートして、１秒間の音声ミュートを実行すると共に、ビープ音を発生する。そして、このＬＰメモリ２２に記憶中のｆ特データを読み出し、このｆ特データに基づいて、ＥＱ回路１２を再設定すると共に、ｆ特データに基づくｆ特カーブをディスプレイ１４上に表示変更して、音声ミュート解除後に音声出力する（ステップＳ２６）。
【００４４】
ステップＳ２６にてスタートしたタイマー２４が１０秒を経過したか否かを判定する（ステップＳ２７）。タイマー２４が１０秒を経過したのであれば、前記ＰＳメモリ２３のチャンネル番号ｎを＋１インクリメントし、ステップＳ２３に移行する（ステップＳ２８）。尚、このステップＳ２８の処理においてチャンネル番号ｎが“７”となった場合にはチャンネル番号ｎを“１”にする。
【００４５】
ステップＳ２３にてＬＰメモリ２２に記憶中のチャンネル番号ＮがＰＳメモリ２３に記憶中のチャンネル番号ｎと同一であれば、ステップＳ２８に移行する。
【００４６】
また、ステップＳ２５にてタイマー２４が１０秒を経過したのでなければ、スキャンキー１６ｂがＯＮされたか否かを判定する（ステップＳ２９）。このスキャンキー１６ｂがＯＮされたのであれば、ＰＳメモリ２３に記憶中のｆ特データ及びチャンネル番号ｎをＬＰメモリ２２に転送し、このＬＰメモリ２２に記憶中のデータ内容を転送されたデータ内容に書換変更し、このデータ内容に基づいてｆ特カーブ等をディスプレイ１４上に表示させ（ステップＳ３０）、このスキャン音場特性設定処理を終了する。
【００４７】
また、ステップＳ２９にてスキャンキー１６ｂがＯＮされたのでなければ、ステップＳ２５に移行する。
【００４８】
また、ステップＳ２７にてタイマー２４が１０秒を経過したのでなければ、スキャンキー１６ｂがＯＮされたか否かを判定する（ステップＳ３１）。このスキャンキー１６ｂがＯＮされたのであれば、このスキャン音場特性設定処理を終了する。
【００４９】
また、ステップＳ３１にてスキャンキー１６ｂがＯＮされたのでなければ、ステップＳ２７に移行する。
【００５０】
このようにスキャン音場特性設定処理によれば、例えばプリセットメモリ２１のチャンネル番号“３”のｆ特データで音楽を受聴している場合に、スキャンキー１６ｂがＯＮされると、図６に示すようにチャンネル番号“４”のｆ特データに基づいて１０秒間表示及び音場補正を行った後、ＬＰメモリ２２に記憶中のｆ特データ、つまりチャンネル番号“３”のｆ特データに基づいて１０秒間表示及び音場補正する。その後、さらにチャンネル番号“５”のｆ特データに基づいて１０秒間表示及び音場補正を行った後、ＬＰメモリ２２に記憶中のｆ特データ、チャンネル番号“６”のｆ特データ、ＬＰメモリ２２に記憶中のｆ特データ、チャンネル番号“１”のｆ特データといった順序でそれぞれの１０秒間表示及び音場補正を行う。
【００５１】
この際、チャンネル番号“２”のｆ特データ、ＬＰメモリ２２に記憶中のｆ特データといった順で１０秒間表示及び音場補正を行った後、チャンネル番号“３”の１０秒間表示及び音場補正を行うものであるが、ＬＰメモリ２２に記憶中のｆ特データもチャンネル番号“３”のｆ特データであるために連続してチャンネル番号“３”のデータに基づくｆ特カーブの設定及び表示を行ってしまう。
【００５２】
そこで、このような場合には、チャンネル番号“３”を飛ばしてチャンネル番号“４”のｆ特データにおけるｆ特変更及び表示をするようにしたので、スキャンキー１６ｂ入力直前、つまりチャンネル番号“３”のｆ特データに基づく音響信号の音場補正が連続して行われるような事態を防止することにより、ユーザーに不快感を与えるようなことはない。さらに、スキャンキー１６ｂ入力直前、つまりチャンネル番号“３”の音場特性が画面上に連続して表示されるような事態をも防止できる。
【００５３】
また、プリセットメモリ２１に記憶中のｆ特データがＬＰメモリ２２に記憶中のｆ特データを間に挟みながら所定時間（１０秒）間隔で順次読み出し、この読み出されたｆ特データに基づいて音場制御回路１２の音場特性の設定を変更し、音響機器１１からの音響信号を設定されたｆ特データに基づいて音声出力する。
【００５４】
また、このスキャン音場特性設定処理中に所望のｆ特データが設定されている間に、スキャンキー１６ｂの再度の入力操作を行うと、その時点でスキャン音場特性設定処理を終了し、この際の設定状態が保持される。
【００５５】
また、前記ビープ音発生回路１３にて音場特性が変更されたことを報知するビープ音は、比較基準となるＬＰメモリ２２に記憶中のｆ特データが設定された場合と、プリセットメモリ２１に記憶中のｆ特データが設定された場合とでビープ音の音声形態を変化させることにより、つまり、比較基準となるｆ特データが設定された場合には“ピッ”、プリセットメモリ２１のｆ特データが設定された場合には“ピッピッ”といったように変化させることにより、設定された音場特性がどちらのｆ特データに基づくものなのかを、ユーザーはビープ音の違いで簡単に認識することができる。
【００５６】
従って、このスキャン音場特性設定処理によれば、スキャンキー１６ｂがＯＮされると、このスキャンキーＯＮ直前のｆ特データを基準にして、プリセットメモリ２１に記憶中のｆ特データを順次読み出し、スキャンキー１６ｂＯＮ直前のｆ特データ及び順次読み出されるｆ特データに基づいて、前記音響機器１１から得られる音響信号に対して交互に音場補正を加えるようにしたので、スキャンキー１６ｂＯＮ直前に設定されていた、基準特性としてのｆ特データに対して、プリセットメモリ２１に記憶された各ｆ特データがどの程度変化したのかが認識しやすく、簡単な操作で所望のｆ特カーブを得ることができる。
【００５７】
また、上記イコライザ装置におけるスキャン音場特性設定処理によれば、図６に示すように、スキャン音場特性設定処理中においてディスプレイ１４上に、プリセットメモリ２１に記憶中の順次読み出されるｆ特データと、ＬＰメモリ２２１記憶中のｆ特データとを交互に読み出し、この読み出されたｆ特データに基づいて音場補正を行うようにしたが、図７に示すように音響機器１１から入力された原音信号、つまり音場制御処理を施していない入力信号を比較基準とするようにしても良い。
【００５８】
この場合には、プリセットメモリ２１に記憶された各ｆ特データに基づくｆ特カーブと、フラットなｆ特カーブとを比較することができるために、各ｆ特データがどの様な特徴を有しているのかを、ユーザーはより明確に認識することができる。
【００５９】
また、上記イコライザ装置においては、プリセットメモリ２１に記憶中のｆ特データに基づくｆ特カーブと、例えばＬＰメモリ２２に記憶中のｆ特データに基づくｆ特カーブとを交互に表示させるようにしたが、各ｆ特カーブの変化を解りやすくするために、例えば図８に示すように、ＬＰメモリ２２に記憶中のｆ特カーブを比較基準カーブ（図中、網かけ部）を常に表示し、順次読み出されるｆ特データに対応するｆ特カーブ（図中、太線）にて前記比較基準カーブの上に重ね合わせて表示させるようにしても良い。
【００６０】
尚、上記実施の形態においては音場特性制御装置をイコライザ装置に適用して説明したが、周波数特性及び遅延時間特性等を制御することにより、様々な音響空間を疑似的に創出するＤＳＰにおいても適用可能である。
【００６１】
では、ここで音場特性制御装置をＤＳＰに適用した場合について説明する。尚、ＤＳＰの場合も、音場制御回路１２の内部構成が若干異なるものの、その構成ブロック及び処理動作は、前記イコライザ装置とほぼ同一であり、その説明は省略する。図９はＤＳＰにおけるプリセットメモリ２１のメモリ内容の一例を示すメモリマップである。
【００６２】
図９においてプリセットメモリ２１は、各チャンネルキー１６ａのチャンネル番号に対応して音響特性データが記憶されており、例えば、チャンネル番号“１”にホール（ＨＡＬＬ）、チャンネル番号“２”に教会（ＣＨＵＲＣＨ）、チャンネル番号“３”にスタジアム（ＳＴＵＤＩＵＭ）、チャンネル番号“４”にライブハウス（ＬＩＶＥ  ＨＯＵＳＥ）、チャンネル番号“５”にディスコ（ＤＩＳＣＯ）、チャンネル番号“６”にジャズクラブ（ＪＡＺＺ  ＣＬＵＢ）といった音響空間をシュミレーションするための音響特性データが記憶してある。
【００６３】
このＤＳＰにおいても、チャンネルキー１６ａの入力に応じて、この入力チャンネルキー１６ａに対応したチャンネル番号の音響特性データを読み出すような構成にしてある。
【００６４】
このＤＳＰにおけるスキャン音場特性設定処理によれば、例えばチャンネル番号“３”のスタジアムの音響特性で音楽を受聴している場合に、スキャンキー１６ｂがＯＮされると、図１０に示すようにチャンネル番号“４”のライブハウスの音響特性データに基づいて１０秒間表示及び音場補正を行った後、ＬＰメモリ２２に記憶中のスタジアムの音響特性データに基づいて１０秒間表示及び音場補正する。その後、さらにチャンネル番号“５”のディスコの音響特性データに基づいて１０秒間表示及び音場補正を行った後、ＬＰメモリ２２に記憶中のスタジアムの音響特性データ、チャンネル番号“６”のジャズクラブの音響特性データ、ＬＰメモリ２２のスタジアムの音響特性データ、チャンネル番号“１”のホールの音響特性データといった順序でそれぞれの１０秒間表示及び音場補正を行う。
【００６５】
この際、チャンネル番号“２”の音響特性データ、ＬＰメモリ２２に記憶中のスタジアムの音響特性データといった順で１０秒間ずつ表示及び音場設定を行った後、チャンネル番号“３”の１０秒間表示及び音場補正を行うものであるが、ＬＰメモリ２２に記憶中の音響特性データもチャンネル番号“３”の音響特性データであるために連続してディスプレイ１４上にチャンネル番号“３”の音響特性データにおける１０秒間表示及び音場補正してしまう。
【００６６】
そこで、このような場合には、前記イコライザ装置と同様に、チャンネル番号“３”を飛ばしてチャンネル番号“４”の音響特性データにおける１０秒間表示及び音場補正をするようにしたので、スキャンキー１６ｂ入力直前、つまりチャンネル番号“３”の音響特性データに基づく音響信号の音場補正が連続して行われるような事態を防止することにより、ユーザーに不快感を与えるようなことはない。さらに、スキャンキー１６ｂ入力直前、つまりチャンネル番号“３”の音場特性が画面上に連続して表示されるような事態をも防止することができる。
【００６７】
また、プリセットメモリ２１に記憶中の音響特性データがＬＰメモリ２２に記憶中の音響特性データを間に挟みながら所定時間（１０秒）間隔で順次読み出し、この読み出された音響特性データに基づいて音場制御回路１２の音場特性の設定を変更し、音響機器１１からの音響信号を設定された音響特性データに基づいて補正し、出力する。
【００６８】
また、このスキャン音場特性設定処理中に所望のｆ特データが設定されている間に、スキャンキー１６ｂの再度の入力操作を行うと、その時点でスキャン音場特性設定処理を終了し、この際の設定状態が保持される。
【００６９】
従って、このスキャン音場特性設定処理によれば、スキャンキー１６ｂがＯＮされると、このスキャンキー１６ｂＯＮ直前の音響特性データを基準にして、プリセットメモリ２１に記憶中の音響特性データを順次読み出し、スキャンキー１６ｂＯＮ直前の音響特性データ及び順次読み出される音響特性データを交互に読み出し、これら読み出された音響特性データに基づいて、前記音響機器１１から得られる音響信号に音場補正を加えるようにしたので、このプリセットメモリ２１に記憶された各音響特性データと、ＬＰメモリ２２に記憶中の音響特性データとを比較することができるために、ユーザーは各特性を認識しやすく、簡単な操作で所望の音響特性データを検索することができる。
【００７０】
また、上記ＤＳＰにおいては、図１１に示すように、スキャン音場特性設定処理中においてディスプレイ１４上に、プリセットメモリ２１に記憶中の順次読み出される音響特性データと、ＬＰメモリ２２に記憶中の音響特性データとを交互に順次表示させるようにしたが、前記ディスプレイ１４を二段の表示領域に分割し、その下段の表示領域に、例えば基準となる、つまりＬＰメモリ２２に記憶中の音響特性データ（スタジアム）を表示し、上段の表示領域に、前記プリセットメモリ２１から順次読み出される音響特性データ（ライブハウス）を表示し、更に設定中の音響空間名の表示を点滅させるようにしたので、ユーザーは、どの様な音響特性の比較をしているかを視覚的にも判断しやすくなる。
【００７１】
【発明の効果】
上記のように構成された本発明の音場特性制御装置によれば、スキャンキーの入力に応じて、入力直前データ記憶手段に記憶中の音場特性データを間に挟みながら音場特性データ記憶手段に記憶中の各音場特性を順次読み出し、この読み出された音場特性データに基づいて、前記音場補正手段に音響信号を音場補正させるようにしたので、音場特性データ記憶手段に記憶中の各チャンネルキーに対応する各音場特性と、スキャンキー入力直前の音場特性とを比較し、これら各音場特性を確実に認識しながら、簡単な操作で所望の音場特性を容易に得ることができる。
【００７２】
また、本発明における請求項２項の音場特性制御装置によれば、音場特性データ記憶手段に記憶中の音場特性データ内に、入力直前データ記憶手段に記憶中の音場特性データと同一の音場特性データがあれば、この同一の音場特性データに係わる音場特性データ記憶手段からの読み出しを禁止し、この同一の音場特性データ以外の音場特性データを読み出すようにしたので、スキャンキー入力直前の音場特性に基づく音響信号の音場補正が連続して行われるような事態を防止することにより、ユーザーに不快感を与えるようなことはない。
【図面の簡単な説明】
【図１】本発明の実施の形態を示す音場特性制御装置内部の概略構成を示すブロック図である。
【図２】本実施の形態における音場特性制御装置のマイコン内部の概略構成を示すブロック図である。
【図３】本実施の形態の音場特性制御装置をイコライザ装置に適用した場合におけるマイコン内部のプリセットメモリ及びラストポジションメモリに係わるメモリ内容を示すメモリマップである。
【図４】本実施の形態におけるイコライザ装置のチャンネル音場特性設定処理におけるマイコンの処理動作を示すフローチャートである。
【図５】本実施の形態におけるイコライザ装置のスキャン音場特性設定処理におけるマイコンの処理動作を示すフローチャートである。
【図６】本実施の形態におけるイコライザ装置のスキャン音場特性設定処理におけるディスプレイの表示動作を示す動作説明図である。
【図７】他の実施の形態におけるイコライザ装置のスキャン音場特性設定処理におけるディスプレイの表示動作を示す動作説明図である。
【図８】他の実施の形態におけるイコライザ装置の正面図である。
【図９】本実施の形態における音場特性制御装置をＤＳＰに適用した場合におけるマイコン内部のプリセットメモリに係わるメモリ内容を示すメモリマップである。
【図１０】本実施の形態におけるＤＳＰのスキャン音場特性設定処理におけるディスプレイの表示動作を示す動作説明図である。
【図１１】他の実施の形態におけるＤＳＰの正面図である。
【図１２】従来の音場特性制御装置としてのプリセットスキャン方式のイコライザ装置におけるディスプレイの表示動作を示す動作説明図である。
【符号の説明】
１０  音場特性制御装置
１２  音場制御回路（音場補正手段）
１４  ディスプレイ（表示手段）
１６ａ  プリセットチャンネルキー（チャンネルキー）
１６ｂ  プリセットスキャンキー（スキャンキー）
１７  マイコン（制御手段、判定手段）
２１  プリセットメモリ（音場特性データ記憶手段）
２２  ラストポジションメモリ（ＬＰメモリ；入力直前データ記憶手段）
【図１】
0003678516.tif 000002
【図２】
0003678516.tif 000003
【図３】
0003678516.tif 000004
【図４】
0003678516.tif 000005
【図５】
0003678516.tif 000006
【図６】
0003678516.tif 000007
【図７】
0003678516.tif 000008
【図８】
0003678516.tif 000009
【図９】
0003678516.tif 000010
【図１０】
0003678516.tif 000011
【図１１】
0003678516.tif 000012
【図１２】
0003678516.tif 000013